(57)【要約】【課題】無線ネットワークにおいて、ノードの即応性を考慮しつつ、Ｆｌｏｏｄｉｎｇデータの転送処理に係る消費電力を軽減させるようにする。【解決手段】本発明の無線通信制御装置は、送信データがある場合、送信データ信号の送信前に、受信側に向けて送信前信号を送信する送信前信号通信手段と、送信前信号通信手段が送信した送信前信号と同じ種類の送信データ信号を送信する送信データ信号通信手段と、送信前信号通信手段が他の無線装置から送信前信号を受信すると、送信データ信号通信手段の電源をＯＮにして他の無線装置からの送信データ信号の受信待機をさせる通信制御手段とを備え、通信制御手段は、送信データ信号の送信後第１の所定時間が経過するまでに、送信前信号通信手段が前回受信した送信前信号と同じ種類の信号を受信しても、送信データ信号通信手段での受信を制限する受信制限部を有することを特徴とする。【選択図】      図１
2009239652.tif 000002
【特許請求の範囲】
【請求項１】
送信すべき送信データがある場合、上記送信データ信号の送信前に、受信側に向けて送信前信号を送信する送信前信号通信手段と、
上記送信前信号通信手段が送信した上記送信前信号と同じ種類の送信データ信号を送信する送信データ信号通信手段と、
上記送信前信号通信手段が他の無線装置から上記送信前信号を受信すると、上記送信データ信号通信手段の電源をＯＮにして他の無線装置からの送信データ信号の受信待機をさせる通信制御手段と
を備え、
上記通信制御手段は、上記送信データ信号の送信後第１の所定時間が経過するまでに、上記送信前信号通信手段が前回受信した上記送信前信号と同じ種類の信号を受信しても、上記送信データ信号通信手段での受信を制限する受信制限部を有することを特徴とする無線通信制御装置。
【請求項２】
上記通信制御手段は、上記第１の所定時間経過後から第２の所定時間が経過するまでに、上記送信前信号通信手段が前回受信した上記送信前信号と同じ種類の信号を受信すると、上記送信データ信号通信手段の電源をＯＮにするものであり、
上記送信データ信号通信手段が受信した送信データ信号の内容を解析し、他の無線装置への転送が必要か否かを判断する判断部と、
上記判断部により他の無線装置への転送が必要であると判断された場合に、上記送信前信号通信手段が今回受信した上記送信前信号の種類を変更させる送信前信号変更部と
を有することを特徴とする請求項１に記載の無線通信制御装置。
【請求項３】
上記送信前信号変更部が、所定の変更ルールに従って、上記送信前信号の種類を変更させるものであることを特徴とする請求項２に記載の無線通信制御装置。
【請求項４】
上記送信データ信号通信手段における他の無線装置からの送信データ信号の受信待機に係る消費電力が、上記第１の所定時間又は上記第２の所定時間に係る消費電力より小さいことを特徴とする請求項１〜３のいずれかに記載の無線通信制御装置。
【請求項５】
無線通信制御装置が、送信前信号通信手段と、送信データ信号通信手段と、通信制御手段とを備え、
上記送信前信号通信手段が、送信すべき送信データがある場合、上記送信データ信号の送信前に、受信側に向けて送信前信号を送信する送信前信号通信工程と、
上記送信データ信号通信手段が、上記送信前信号通信手段が送信した上記送信前信号と同じ種類の送信データ信号を送信する送信データ信号通信工程と、
上記通信制御手段が、上記送信前信号通信手段が他の無線装置から上記送信前信号を受信すると、上記送信データ信号通信手段の電源をＯＮにして他の無線装置からの送信データ信号の受信待機をさせる通信制御工程と
を有し、
上記通信制御工程には、上記送信データ信号の送信後第１の所定時間が経過するまでに、上記送信前信号通信手段が前回受信した上記送信前信号と同じ種類の信号を受信しても、上記送信データ信号通信手段での受信を制限する受信制限工程が含まれることを特徴とする無線通信制御方法。
【請求項６】
無線通信制御装置を、
送信すべき送信データがある場合、上記送信データ信号の送信前に、受信側に向けて送信前信号を送信する送信前信号通信手段、
上記送信前信号通信手段が送信した上記送信前信号と同じ種類の送信データ信号を送信する送信データ信号通信手段、
上記送信前信号通信手段が他の無線装置から上記送信前信号を受信すると、上記送信データ信号通信手段の電源をＯＮにして他の無線装置からの送信データ信号の受信待機をさせる通信制御手段
として機能させるものであって、
上記通信制御手段として実行させる際、上記送信データ信号の送信後第１の所定時間が経過するまでに、上記送信前信号通信手段が前回受信した上記送信前信号と同じ種類の信号を受信しても、上記送信データ信号通信手段での受信を制限する受信制限部として機能させる無線通信制御プログラム。
【発明の詳細な説明】
【技術分野】
【０００１】
本発明は、無線通信制御装置、方法及びプログラムに関し、例えば、複数の無線通信手段を用いて無線通信を行う無線通信制御装置に適用し得るものである。
【背景技術】
【０００２】
従来、無線通信装置の省電力化を行う効果的な方法として、例えば受信機を間欠的に動作させて消費電力を下げる方法がある。しかし、この方法は、間欠動作の間隔を長くするとデータ通信の即応性が落ちるという課題がある。
【０００３】
そこで、この課題を解決するために、例えば、各ノードが、データ通信用の通信機とＷａｋｅＵｐ信号用の通信機の２種類の通信機をもたせ、これら２種類の通信機を組み合わせて利用する方法がある（非特許文献１参照）。
【０００４】
この２種類の通信機を組み合わせる方法では、データ通信用通信機の受信部は通常電源ＯＦＦであり、ＷａｋｅＵｐ信号用通信機の受信部は常に受信可能状態である。
【０００５】
そして、ノードは、送信データがあると、まずＷａｋｅＵｐ信号を発信し、その後データ信号の送信を開始する。ＷａｋｅＵｐ信号を受信したノードは、データ受信用通信機の受信部の電源をＯＮに切り替え、その後データ受信を行う。このとき、データ通信用通信機の消費電力がＷａｋｅＵｐ信号用通信機の消費電力に比べて十分に大きければ、消費電力を減らしながらデータの即応性を維持することができる。
【０００６】
【非特許文献１】Curt  Schurgers，Vlasios  Tsiatsis，Mani  B.Srivastava，“STEM：Topology  Management  For  Energy  Efficient  Sensor  Networks”，University  Of  California，San  Diego，インターネット，<2008年1月31日検索>，http://circuit.ucsd.edu/~curts/papers/Aerospace02.pdf
【発明の開示】
【発明が解決しようとする課題】
【０００７】
上述した非特許文献１に記載の方法は、１対１の通信方法に関するものである。そのため、マルチホップネットワーク環境のＦｌｏｏｄｉｎｇ技術に非特許文献１に記載の方法を適用する場合、次のような課題が生じ得る。
【０００８】
ＷａｋｅＵｐ信号を用いてマルチホップネットワーク上でＦｌｏｏｄｉｎｇを行う際には、複数種類（例えば、２種類〜１０種類程度）のＷａｋｅＵｐ信号（以下、Ｆｌｏｏｄｉｎｇ用ＷａｋｅＵｐ信号ともいう）を備え、同じＦｌｏｏｄｉｎｇ用ＷａｋｅＵｐ信号を送信する際には同じＦｌｏｏｄｉｎｇパケットを使うことが望まれる。
【０００９】
この場合、あるノードが送信したＦｌｏｏｄｉｎｇ用ＷａｋｅＵｐ信号の受信及びＦｌｏｏｄｉｎｇデータの受信をし、このＦｌｏｏｄｉｎｇデータの転送処理をした後、別のノードから同じＦｌｏｏｄｉｎｇ用ＷａｋｅＵｐ信号の受信及びＦｌｏｏｄｉｎｇデータを受信することがある。
【００１０】
そうすると、既に転送したＦｌｏｏｄｉｎｇデータについて、再度、同じのＦｌｏｏｄｉｎｇ用ＷａｋｅＵｐ信号及びＦｌｏｏｄｉｎｇデータの送受信することとなり、同じデータについて重複した処理を行うこととなるため、当該ノードの消費電力が大きくなるおそれがある。
【００１１】
そのため、無線通信装置の省電力化を図りながら、自装置が受信したデータについて転送の必要が否かを判断することができる無線通信制御装置、方法及びプログラムが求められている。
【課題を解決するための手段】
【００１２】
かかる課題を解決するために、第１の本発明の無線通信制御装置は、（１）送信すべき送信データがある場合、送信データ信号の送信前に、受信側に向けて送信前信号を送信する送信前信号通信手段と、（２）送信前信号通信手段が送信した送信前信号と同じ種類の送信データ信号を送信する送信データ信号通信手段と、（３）送信前信号通信手段が他の無線装置から送信前信号を受信すると、送信データ信号通信手段の電源をＯＮにして他の無線装置からの送信データ信号の受信待機をさせる通信制御手段とを備え、通信制御手段は、（３−１）送信データ信号の送信後第１の所定時間が経過するまでに、送信前信号通信手段が前回受信した送信前信号と同じ種類の信号を受信しても、送信データ信号通信手段での受信を制限する受信制限部を有することを特徴とする。
【００１３】
第２の本発明の無線通信制御方法は、無線通信制御装置が、送信前信号通信手段と、送信データ信号通信手段と、通信制御手段とを備え、（１）送信前信号通信手段が、送信すべき送信データがある場合、送信データ信号の送信前に、受信側に向けて送信前信号を送信する送信前信号通信工程と、（２）送信データ信号通信手段が、送信前信号通信手段が送信した送信前信号と同じ種類の送信データ信号を送信する送信データ信号通信工程と、（３）通信制御手段が、送信前信号通信手段が他の無線装置から送信前信号を受信すると、送信データ信号通信手段の電源をＯＮにして他の無線装置からの送信データ信号の受信待機をさせる通信制御工程とを有し、通信制御工程には、（３−１）送信データ信号の送信後第１の所定時間が経過するまでに、送信前信号通信手段が前回受信した送信前信号と同じ種類の信号を受信しても、送信データ信号通信手段での受信を制限する受信制限工程が含まれることを特徴とする。
【００１４】
第３の本発明の無線通信制御プログラムは、無線通信制御装置を、（１）送信すべき送信データがある場合、送信データ信号の送信前に、受信側に向けて送信前信号を送信する送信前信号通信手段、（２）送信前信号通信手段が送信した送信前信号と同じ種類の送信データ信号を送信する送信データ信号通信手段、（３）送信前信号通信手段が他の無線装置から送信前信号を受信すると、送信データ信号通信手段の電源をＯＮにして他の無線装置からの送信データ信号の受信待機をさせる通信制御手段として機能させるものであって、通信制御手段として実行させる際、（３−１）送信データ信号の送信後第１の所定時間が経過するまでに、送信前信号通信手段が前回受信した送信前信号と同じ種類の信号を受信しても、送信データ信号通信手段での受信を制限する受信制限部として機能させるものである。
【発明の効果】
【００１５】
本発明によれば、無線通信装置の省電力化を図りながら、自装置が受信したデータについて転送の必要が否かを判断することができる。
【発明を実施するための最良の形態】
【００１６】
（Ａ）第１の実施形態
以下では、本発明の無線通信制御装置、方法及びプログラムの第１の実施形態について図面を参照しながら詳細に説明する。
【００１７】
第１の実施形態では、マルチホップネットワークを構成する各ノードの通信制御装置に、本発明を適用した場合を例示して説明する。
【００１８】
（Ａ−１）第１の実施形態の構成
図１は、第１の実施形態の各ノードである無線通信装置２００の内部構成を示す内部構成図である。
【００１９】
図１に示すように、無線通信装置２００は、高消費電力無線通信部２０１、低消費電力無線通信部２０２、制御部２０３を少なくとも有する。
【００２０】
高消費電力無線通信部２０１は、低消費電力無線通信部２０１に比べて消費電力の高い無線通信手段であり、データ通信用の通信手段として機能するものであり、制御部２０３の制御により電源がＯＮ、ＯＦＦするものである。また、高消費電力無線通信部２０１は、例えば、無線ＬＡＮ（例えば、ＷｉＦｉ、ＷｉＭＡＸ等）、ＺｉｇＢｅｅ等の通信手段を適用することができる。
【００２１】
低消費電力無線通信部２０２は、高消費電力無線通信部２０１に比べて消費電力が低い無線通信手段である。また、低消費電力無線通信部２０２は、例えば高消費電力無線通信部２０１が無線ＬＡＮやＷｉＦｉを採用する場合には、その通信手段より低消費電力のＺｉｇＢｅｅ等を適用することができ、また例えば高消費電力無線通信部２０１がＺｉｇＢｅｅを採用する場合には、その通信手段より低消費電力の微弱無線を送受信する無線機を適用することができる。また、低消費電力無線通信部２０２は、デジタル通信を行う通信手段である必要はなく、例えば単純なパルス信号を送受信することができる通信手段を適用する。
【００２２】
また、低消費電力無線通信部２０２は、制御部２０３の制御の下、データ信号の送受信前に、ＷａｋｅＵｐ信号を送受信するものである。このＷａｋｅＵｐ信号は複数種類があり、使い分けられることが望ましい。また、ＷａｋｅＵｐ信号は、例えばＩＤ等の識別情報を含むデジタル信号であってもよいし、又はパルス信号であってもよい。
【００２３】
制御部２０３は、高消費電力無線通信部２０１と低消費電力無線通信部２０２とに接続されており、高消費電力無線通信部２０１や低消費電力無線通信部２０２を利用して高消費電力無線通信部２０１の電源制御を行う機能を持つものである。
【００２４】
（Ａ−２）第１の実施形態の動作
続いて、第１の実施形態の各ノードにおける通信制御処理の動作について図２及び図３を参照して説明する。
【００２５】
図２は、第１の実施形態の通信制御装置の状態遷移を示す状態遷移図である。図２では、情報通信装置の状態遷移図のうち、Ｆｌｏｏｄｉｎｇ用ＷａｋｅＵｐ信号に関係ある部分だけ抜き出して記述している。
【００２６】
図２において、情報通信装置は、Ｆｌｏｏｄｉｎｇ用ＷａｋｅＵｐ信号受信待ち状態（１０１）であり、Ｆｌｏｏｄｉｎｇ用ＷａｋｅＵｐ信号を受信（１０２）すると、データ通信用通信機の受信部の電源がＯＮになり、Ｆｌｏｏｄｉｎｇデータ受信待ち状態（１０３）となる。
【００２７】
その後、Ｆｌｏｏｄｉｎｇデータが到来すると、Ｆｌｏｏｄｉｎｇデータ受信完了、Ｆｌｏｏｏｄｉｎｇデータの転送に係るＦｌｏｏｄｉｎｇ用ＷａｋｅＵｐ信号の送信及びＦｌｏｏｄｉｎｇデータの転送が完了すると（１０４）、情報通信装置は、Ｆｌｏｏｄｉｎｇ後の休止時間状態となる（１０５）。
【００２８】
Ｆｌｏｏｄｉｎｇ後の休止時間状態の間に（１０５）、前回受信したＦｌｏｏｄｉｎｇ用ＷａｋｅＵｐ信号以外の種類のＦｌｏｏｄｉｎｇ用ＷａｋｅＵｐ信号を受信した場合（１０６）、情報通信装置は、Ｆｌｏｏｄｉｎｇデータ受信待ち状態（１０３）へ状態遷移する。これにより、異なる種類のＦｌｏｏｄｉｎｇデータを受信することができる。
【００２９】
これに対して、Ｆｌｏｏｄｉｎｇ後の休止時間状態の間に（１０５）、前回受信したＦｌｏｏｄｉｎｇ用ＷａｋｅＵｐ信号と同種類のＷａｋｅＵｐ信号を受信した場合（１０７）、情報通信装置は状態遷移を行わない。上述したように、自ノードが既に送信したＦｌｏｏｄｉｎｇデータであるためである。
【００３０】
その後、Ｆｌｏｏｄｉｎｇ後の休止時間がタイムアウト（１０８）すると、情報通信装置は、Ｆｌｏｏｄｉｎｇ用ＷａｋｅＵｐ信号の受信待ち状態（１０１）へ戻る。
【００３１】
（Ａ−３）第１の実施形態の効果
以上のように、第１の実施形態によれば、あるノードからＦｌｏｏｄｉｎｇ用ＷａｋｅＵｐ信号の受信及びＦｌｏｏｄｉｎｇデータの受信を行い、このＦｌｏｏｄｉｎｇデータを転送した後に、Ｆｌｏｏｄｉｎｇ後の休止時間を設けることにより、自ノードが送信済みである同じＦｌｏｏｏｄｉｎｇデータの再度の転送処理を回避することができる。
【００３２】
その結果、ノードの省電力化及びネットワーク全体の通信負荷の軽減を図ることができる。
【００３３】
（Ｂ）第２の実施形態
次に、本発明の無線通信制御装置、方法及びプログラムの第２の実施形態について図面を参照しながら詳細に説明する。
【００３４】
上述した第１の実施形態で説明した無線通信装置２００の通信制御処理は省電力化として有効化処理である。
【００３５】
また、第２の実施形態では、第１の実施形態の通信制御処理をさらに発展させたものである。
【００３６】
第１の実施形態の通信制御処理では、Ｆｌｏｏｄｉｎｇ後の休止時間の間に、前回と同種類のＦｌｏｏｄｉｎｇ用ＷａｋｅＵｐ信号を受信しても、高消費電力無線通信部の電源をＯＮとはせず、Ｆｌｏｏｄｉｎｇデータの受信待ち状態には遷移できない。しかし、別のノードからのＦｌｏｏｄｉｎｇデータが転送すべきデータである場合もある。
【００３７】
そこで、第２の実施形態では、ノードの省電力化を図りながら、Ｆｌｏｏｄｉｎｇ後に別のノードが送信したＦｌｏｏｄｉｎｇデータがデータ転送すべきか否かを判断する処理を行うことに特徴がある。
【００３８】
（Ｂ−２）第２の実施形態の構成及び動作
第２の実施形態の無線通信装置の構成は、図１に示す第１の実施形態の構成と同じであるから、ここでの詳細な説明は省略する。また、第２の実施形態でも、図２を用いて、無線通信装置２００の通信制御処理を説明する。
【００３９】
図３は、第２の実施形態の無線通信装置２００における制御部２０３の状態遷移を示す状態遷移図である。図３では、図２に示す状態遷移と同じ状態については同一の符号を付して示してある。
【００４０】
図３において、無線通信装置２００はＦｌｏｏｄｉｎｇ用ＷａｋｅＵｐ信号受信待ち状態（１０１）であり、低消費電力無線通信部２０２がＦｌｏｏｄｉｎｇ用ＷａｋｅＵｐ信号を受信（１０２）すると、制御部２０３は高消費電力無線通信部２０１の電源をＯＮにして、Ｆｌｏｏｄｉｎｇデータ受信待ち状態（１０３）となる。
【００４１】
その後、Ｆｌｏｏｄｉｎｇデータが高消費電力無線通信部２０１に受信されると、制御部２０３の制御の下、高消費電力無線通信部２０１により、Ｆｌｏｏｄｉｎｇデータ受信完了、Ｆｌｏｏｏｄｉｎｇデータの転送に係るＦｌｏｏｄｉｎｇ用ＷａｋｅＵｐ信号の送信及びＦｌｏｏｄｉｎｇデータの転送が完了すると（１０４）、Ｆｌｏｏｄｉｎｇ後の休止時間状態となる（１０５）。
【００４２】
Ｆｌｏｏｄｉｎｇ後の休止時間状態の間に（１０５）、低消費電力無線通信部２０２が前回受信したＦｌｏｏｄｉｎｇ用ＷａｋｅＵｐ信号以外の種類のＦｌｏｏｄｉｎｇ用ＷａｋｅＵｐ信号を受信した場合（１０６）、制御部２０３は、Ｆｌｏｏｄｉｎｇデータ受信待ち状態（１０３）へ状態遷移する。これにより、異なる種類のＦｌｏｏｄｉｎｇデータを受信することができる。
【００４３】
これに対して、Ｆｌｏｏｄｉｎｇ後の休止時間状態の間に（１０５）、前回受信したＦｌｏｏｄｉｎｇ用ＷａｋｅＵｐ信号と同種類のＷａｋｅＵｐ信号を受信した場合（１０７）、情報通信装置は状態遷移を行わない。上述したように、自ノードが既に送信したＦｌｏｏｄｉｎｇデータであるためである。
【００４４】
そして、Ｆｌｏｏｄｉｎｇ後の休止時間タイムアウト（１０８）後、制御部２０３はＦｌｏｏｄｉｎｇ完了時間タイムアウト待ち状態（３０１）へ状態遷移する。
【００４５】
ここで、Ｆｌｏｏｄｉｎｇ完了時間とは、Ｆｌｏｏｄｉｎｇがネットワーク全体へ行き渡る程度の時間であって、同種類のＷａｋｅＵｐ信号の受信があっても無視するＷａｋｅＵｐ信号無視時間よりも長い時間をいう。
【００４６】
Ｆｌｏｏｄｉｎｇ完了時間タイムアウト待ち状態（３０１）の状態で、低消費電力無線通信部２０２が前回と同じＦｌｏｏｄｉｎｇ用ＷａｋｅＵｐ信号を受信（３０２）するとデータ受信待ち状態（３０３）になる。
【００４７】
そして、高消費電力無線通信部２０１がＦｌｏｏｄｉｎｇデータを受信すると（３０４）、制御部２０３は、受信したＦｌｏｏｄｉｎｇデータの内部を見て、Ｆｌｏｏｄｉｎｇが必要なデータであるか否かを判定する（３０５）。
【００４８】
そして、Ｆｌｏｏｄｉｎｇが必要であれば（３０６）、Ｆｌｏｏｄｉｎｇ用ＷａｋｅＵｐ信号の種類を変更し（３０７）、Ｆｌｏｏｄｉｎｇ用ＷａｋｅＵｐ信号及びＦｌｏｏｄｉｎｇを行って（３０８）、Ｆｌｏｏｄｉｎｇ完了時間タイムアウト待ち状態へ戻る（３０１）。
【００４９】
ここで、Ｆｌｏｏｄｉｎｇ用ＷａｋｅＵｐ信号の種類の変更方法としては、ランダムに別の種類のＦｌｏｏｄｉｎｇ用ＷａｋｅＵｐ信号に変更するようにしてもよいし、又は予め設定した所定の変更ルールに従って規則的に変更させるようにしてもよい。
【００５０】
また、Ｆｌｏｏｄｉｎｇ用ＷａｋｅＵｐ信号の変更については、Ｆｌｏｏｄｉｎｇ用ＷａｋｅＵｐ信号をどのような信号とするからによってその種々の設定することができる。
【００５１】
例えば、Ｆｌｏｏｄｉｎｇ用ＷａｋｅＵＰ信号の種類を信号矩形の「０」、「１」の組み合わせパターンで区別する場合を例示する。既に転送処理を行なったＦｌｏｏｄｉｎｇ用ＷａｋｅＵｐ信号の種類を示す信号矩形が「１０１」であるとする。また、Ｆｌｏｏｄｉｎｇ完了時間に受信したＦｌｏｏｄｉｎｇ用ＷａｋｅＵｐ信号の種類が「１０１」である場合、そのＦｌｏｏｄｉｎｇ用ＷａｋｅＵｐ信号について「１０１」から「１１０」に変更するようにする。
【００５２】
また例えば、ＩＤ等の識別情報を用いてＦｌｏｏｄｉｎｇ用ＷａｋｅＵＰ信号の種類を区別する場合には、そのＩＤ等の識別情報を変更することで実現することができる。
【００５３】
さらに例えば、微弱電波を用いる場合には、その周波数帯域を変更することにより実現することができる。
【００５４】
一方ステップ３０９において、Ｆｌｏｏｄｉｎｇが必要でないならば（３０９）、何もせずにＦｌｏｏｄｉｎｇ完了時間タイムアウト待ち状態（３０１）へ戻る。
【００５５】
Ｆｌｏｏｄｉｎｇ完了時間タイムアウト待ち状態（３０１）時に、前回受信したＦｌｏｏｄｉｎｇ用ＷａｋｅＵｐ信号以外のＦｌｏｏｄｉｎｇ用ＷａｋｅＵｐ信号を受信した場合（３１１）、制御部２０３はデータ受信待ち（１０３）になる。
【００５６】
また、Ｆｌｏｏｄｉｎｇ完了時間待ちタイムアウトすれば（３１０）、Ｆｌｏｏｄｉｎｇ用ＷａｋｅＵｐ信号待ち状態（１０１）になる。
【００５７】
以上のように、あるＦｌｏｏｄｉｎｇ用ＷａｋｅＵｐ信号でＦｌｏｏｄｉｎｇパケットを送信した後、一定のＦｌｏｏｄｉｎｇ完了時間内に、同種類のＷａｋｅＵｐ信号を受信した場合、Ｆｌｏｏｄｉｎｇを行う必要があるときには、Ｆｌｏｏｄｉｎｇ用ＷａｋｅＵｐ信号の種類を変更してＦｌｏｏｄｉｎｇのデータ転送を行う。
【００５８】
こうすることにより、同一の無線通信装置２００において、Ｆｌｏｏｄｉｎｇ用ＷａｋｅＵｐ信号が重なって受信された場合でも、通信タイミングによってＦｌｏｏｄｉｎｇが止まってしまうことがない。
【００５９】
（Ｂ−３）第２の実施形態の効果
以上のように、第２の実施形態によれば、マルチホップ環境において複数のノードが同時に同じＦｌｏｏｄｉｎｇ用ＷａｋｅＵｐ信号を利用してＦｌｏｏｄｉｎｇを始めても、途中の適当なノードがＦｌｏｏｄｉｎｇ用ＷａｋｅＵｐ信号の種類を変更してＦｌｏｏｄｉｎｇを行うので、Ｆｌｏｏｄｉｎｇ後の休止時間中のノードにＦｌｏｏｄｉｎｇが届かなくなる可能性が低くなる。
【００６０】
その結果、ノードの省電力化を図りながら、Ｆｌｏｏｄｉｎｇデータの転送が遅れてしまう、又はＦｌｏｏｄｉｎｇデータが行き渡らないという問題を解決することができる。
【００６１】
（Ｃ）他の実施形態
（Ｃ−１）Ｆｌｏｏｄｉｎｇ用ＷａｋｅＵｐ信号の種類を変更する際、すべてのノードにおいて変更ルールを統一しておくと、離れた場所でＦｌｏｏｄｉｎｇ用ＷａｋｅＵｐ信号が同時に書き換えられた場合でも信号が合うので制御が容易になる。
【００６２】
（Ｃ−２）第１及び第２の実施形態では、物理的に異なる高消費電力無線通信部と低消費電力無線通信部を備える場合を示したが、物理的に同じ無線通信部で行う場合でも適用することができる。
【００６３】
（Ｃ−３）第１及び第２の実施形態で説明した無線通信装置の制御部２０３の処理は、ソフトウェア処理で実現されるものである。例えば、制御部２０３のハードウェア構成として、ＣＰＵ、ＲＯＭ、ＲＡＭなどから構成されるものであり、ＲＯＭには上述した処理を実現する処理プログラムが格納されている。そして、ＣＰＵが、その処理プログラムを読み出して実行することにより、上述した通信制御処理が実現される。
【図面の簡単な説明】
【００６４】
【図１】第１の実施形態の復号システムの内部構成を示す内部構成図である。
【図２】従来のＤＶＣ方式のフレームワークを示す図である。
【図３】従来の復号システムの内部構成を示す内部構成図である。
【符号の説明】
【００６５】
２００…無線通信装置、２０１…高消費電力無線通信部、２０２…低消費電力無線通信部、２０３…制御部。
【図１】
2009239652.tif 000003
【図２】
2009239652.tif 000004
【図３】
2009239652.tif 000005